(57)【要約】      （修正有）【課題】ストーンの剥れ落ちを防止できる携帯電話等の表面に貼り付ける装飾シートを提供する。【解決手段】本装飾シート１は、合成樹脂製の透明な第１シート１０と、第１シート１０の上面において粘着剤により剥離可能に配置された合成樹脂製の透明な第２シート２０と、第２シート２０の上面に配置された複数のストーン３０とを備えている。この装飾シート１は、複数のストーン３０が接着剤によって第２シート２０の上面に接着固定されていることを特徴としている。この装飾シート１よれば、ストーン３０および第２シート３０の各々が接着剤によって接着固定されていることにより、従来のような粘着剤に比べて強固に接着されているため、ストーン３０を強固に固定することができ、ストーン３０が剥れ落ちることを防止することができる。【選択図】図２
0003169431.tif 000002
【実用新案登録請求の範囲】
【請求項１】
各種商品などに付されることによって装飾性を向上させる装飾シートであって、
第１シートと、
前記第１シートの上面において粘着剤により剥離可能に配置された第２シートと、
前記第２シートの上面に配置された複数のストーンとを備えており、
前記複数のストーンの下面が接着剤により前記第２シートの上面に接着固定されていることを特徴する装飾シート。
【請求項２】
前記ストーンは、接着固定される部分の周縁部が前記第２シートに埋設している請求項１に記載の装飾シート。
【請求項３】
前記ストーンは、下面が内側方向に湾曲する曲面形状に形成されている請求項１または請求項２に記載の装飾シート。
【請求項４】
前記第２シートは、前記ストーン側の表面がポリウレタンからなるとともに、前記第１シート側の表面がポリエステルからなる請求項１ないし請求項３のいずれかに記載の装飾シート。
【請求項５】
前記ストーンは前記第２シート側においてプライマー層を備えている請求項１ないし請求項４のいずれかに記載の装飾シート。
【考案の詳細な説明】
【技術分野】
【０００１】
本考案は、各種商品などに付されることによって装飾性を向上させる装飾シートに関するものである。
【背景技術】
【０００２】
一般的に、装飾シートは、着色などされたストーンを上面に配置させた透明なシート部材を備えており、該シート部材が各種商品の表面に張り付けられることによって、商品における装飾性を向上させるものである。このような装飾シートは、従来、ストーンおよびシート部材における接触部分に粘着剤が施され、該粘着剤の粘着力によって互いを貼り付けていた。
【考案の概要】
【考案が解決しようとする課題】
【０００３】
しかしながら、粘着剤によってストーンおよびシート部材が貼り付けられているに過ぎないため、互いを貼り付けている粘着力は弱く、ストーンがシート部材から容易に?れ落ちてしまうという問題があった。
【０００４】
本考案は、上記の問題に鑑みてなされたものであって、ストーンが?れ落ちることを防止することができる装飾シートを提供することを目的とする。
【課題を解決するための手段】
【０００５】
本考案の装飾シートは、各種商品などに付されることによって装飾性を向上させるものであって、上記目的を達成するために、第１シートと、第１シートの上面において粘着剤により剥離可能に配置された第２シートと、第２シートの上面に配置された複数のストーンとを備えており、複数のストーンの下面が接着剤により第２シートの上面に接着固定されていることを特徴する。
【０００６】
これによれば、ストーンおよび第２シートが接着剤により接着固定されていることにより、従来のような粘着剤に比べて強固に接着されるため、ストーンを強固に接着固定することができる。
【０００７】
また、ストーンは接着固定される部分の周縁部が第２シートに埋設しているのが好ましい。これによれば、第２シートがストーンの接着固定される部分の周縁部に覆い被さることとなり、ストーンの?れ落ちる方向に対してストッパとして作用するため、ストーンをより強固に接着固定することができる。
【０００８】
また、ストーンは下面が内側方向に湾曲する曲面形状に形成されているのが好ましい。これによれば、ストーンの周縁部が鋭角形状に形成され、ストーンが第２シートに対して食い込んだ状態となってくさび効果を奏するため、ストーンをより一層強固に接着固定することができる。また、内側方向に湾曲する曲面形状となされた下面部分に多くの接着剤を保持することが可能となるため、ストーンをより一層強固に接着固定することができる。
【０００９】
また、第２シートは、ストーン側がポリウレタンからなるとともに、第１シート側がポリエステルからなるのが好ましい。これによれば、ポリウレタンは、ストーンの埋設されている部分を圧迫するように強固に保持するとともに、接着剤との親和性を向上させるためストーンと強固に接着固定させることができる。また、ポリエステルは粘着剤を強固に固着させるため、第１シートとの剥離も容易となる。
【００１０】
また、ストーンは第２シート側においてプライマー層を備えているのが好ましい。これによれば、ストーンと接着剤の親和性が向上するため、ストーンをより一層強固に接着固定させることができる。
【考案の効果】
【００１１】
本考案によれば、ストーンおよび第２シートが接着剤により接着固定されていることにより、従来のような粘着剤に比べて強固に接着されるため、ストーンを強固に固定することができる。このことより、ストーンが?れ落ちることを防止することができるため、装飾シートの装飾性を長期間持続させることが可能になる。
【図面の簡単な説明】
【００１２】
【図１】第１実施形態に係る装飾シートの斜視図である。
【図２】装飾シートの模式断面図である。
【図３】装飾シートの要部における拡大断面図である。
【図４】装飾シートを携帯電話機に施すときの工程図である。
【図５】装飾シートを利用して装飾が施された携帯電話機の斜視図である。
【図６】第２実施形態に係る装飾シートの平面図である。
【図７】図６の装飾シートを利用して装飾が施された携帯電話機の斜視図である。
【考案を実施するための形態】
【００１３】
（１）第１実施形態
次に、本考案に係る装飾シートの第１の実施形態について図１〜図５を参照しつつ説明する。本実施形態では、装飾シート１が携帯電話機Ｐに動物の足あとの形状の装飾を施す場合について説明する。
【００１４】
本実施形態に係る装飾シート１は、図１および図２に示すように、第１シート１０と、第１シート１０の上面に配置された第２シート２０と、第２シート２０の上面に配置された複数のストーン３０とを備えている。
【００１５】
前記第１シート１０は、可撓性を有する透明な合成樹脂からなるフィルムであり、本実施形態ではポリエステルからなる。
【００１６】
前記第２シート２０は、第１シート１０の上面に設けられた可撓性を有する透明な合成樹脂からなるフィルムである。この第２シート２０は、図３に示すように、２層で構成されており、第１シート１０側が張り付け層２１であり、ストーン３０側が固定層２２である。
【００１７】
前記張り付け層２１は、合成樹脂製のフィルムであり、本実施形態においてはポリエステルからなる。この張り付け層２１は、第１シート１０側の下面に粘着剤２１１が薄く層状に固着されている。ここにおいて、張り付け層２１がポリエステルであることより、粘着剤２１１は固着させる際に強固に張り付け層２１と一体化される。また、粘着剤２１１は、仮留め的に第１シート１０と粘着するために剥離が容易である。
【００１８】
前記固定層２２は、合成樹脂製のフィルムであり、本実施形態ではポリウレタンからなる。このポリウレタンは、ストーン３０の埋設されている部分を圧迫するように強固に保持する。また、固定層２２と接着剤４０との親和性が向上するため、ストーン３０を第２シート２０に強固に接着固定することができる。
【００１９】
前記ストーン３０は、図１に示すように、第２シート２０上に複数配置されることによってキャラクタの図柄を構成しており、本実施形態においては動物の足あとの形状を描くように配置されている。なお、キャラクタの図柄を構成するときのストーン３０の個数、配置箇所、色、大きさおよび形状などについては特に限定されるものではなく、キャラクタの図柄に応じて適宜それらが選択されることになる。
【００２０】
上記ストーン３０は、図３に示すように、上面が外側方向に湾曲する曲面形状で形成されるとともに、第２シート２０と対向する下面３０Ｓが内側方向に湾曲する曲面形状に形成されている。このストーン３０は、所定形状に形成されたストーン本体部３１と、該ストーン本体部３１の上面に塗装が施されてなる塗装層３２と、該ストーン本体部３１の第２シート２０側の下面に施されたプライマー層３３とからなる。
【００２１】
前記ストーン本体部３１は、上面が外側方向に湾曲する曲面形状に形成されるとともに、下面が内側方向に湾曲する曲面形状で形成され、これに従ってストーン３０も同様の形状を有することとなる。なお、このストーン本体部３１は、金属製であり、本実施形態ではアルミニウムからなる。
【００２２】
前記塗装層３２は、着色されたインクなどがストーン本体部３１の上面に塗装されることによって形成されている。塗装に用いられるインクは一般に利用される顔料インクなど、特に限定されるものはなく、例えばラメが入ったもの、マット感のあるもの、光沢感のあるものなど多種多様なものがキャラクタの図柄に応じて用いられる。このことより、上方から見ると、ストーン３０は、ストーン本体部３１のアルミニウムが本来有する金属光沢と塗装層３２の各種色合いなどが組み合わさって、明確な視覚的効果を奏することができる。
【００２３】
前記プライマー層３３は、ストーン本体部３１の下面に層状に設けられ、ストーン本体部３１の下面３０Ｓを形成している。このプライマー層３０によりストーン３０と接着剤４０の親和性が向上するため、ストーン３０を第２シート２０により一層強固に接着固定させることができる。
【００２４】
上記した構成を有するストーン３０は、接着剤４０により第２シート２０の上面に接着固定されている。具体的には、ストーン３０および第２シート２０の接触部分に接着剤４０を介在させることにより、相互が接着固定されている。このことにより、従来のような粘着剤に比べて強固に固定されるため、ストーン３０を強固に固定することができる。
【００２５】
また、ストーン３０は、接着固定される部分の周囲に沿って埋設部３００を備える。このストーンにおける埋設部３００の周縁部３０１は、埋設部３００の環状の境界部分（上方から見てＡ、Ａ’を結ぶ環状の境界部分）から平面方向外側に位置しており、上方を第２シート２０の固定層２２によって覆われている。このことにより、第２シート２０の固定層２１がストーン３０の周縁部３０１に覆い被さることとなり、ストーン３０の?れ落ちる方向に対してストッパとして作用するため、ストーン３０をより強固に接着固定することができる。
【００２６】
さらに、ストーン３０の下面３０Ｓ（プライマー層３３）が内側方向に湾曲する曲面形状に形成されている。これにより、周縁部３０１が鋭角形状に形成され、ストーン３０が第２シート２０に対して食い込んだ状態となってくさび効果を奏するため、ストーン３０をより一層強固に固定することができる。また、内側方向に湾曲する曲面形状となされた下面３０Ｓに多くの接着剤を保持することが可能となるため、ストーン３０をより一層強固に接着固定することができる。
【００２７】
次に、装飾シート１を利用して携帯電話機Ｐを装飾する方法について図４を参照しつつ説明する。
【００２８】
まず、図４（ａ）に示すように、装飾シート１から第２シート２０を指先などを利用しながら丁寧に剥がす。このとき、粘着剤２１１によって第１シート１０と第２シート２０とが仮留め的に粘着されているため、第１シート１０から第２シート２０を簡単に剥がすことができる。
【００２９】
次に、図４（ｂ）に示すように、ストーン３０が配置される側を上側にした状態で携帯電話機Ｐの表面の所定箇所に載置する。
【００３０】
次に、図４（ｃ）に示すように、携帯電話機Ｐ上に載置した第２シート２０およびストーン３０を指先で軽く押しつけるなどして、第２シート２０の下方側の張り付け層２１上に設けられた粘着剤２１１をしっかりと携帯電話機Ｐの表面に粘着させる。
【００３１】
而して、図５に示すように、複数のストーン３０から構成されるキャラクタ（動物の足あと）の図柄を携帯電話機Ｐの表面に施すことができる。従って、本装飾シート１によれば、ストーン３０が第２シート２０と強固に固定されているため、ストーン３０が?れ落ちることもなく、装飾性を長期間持続させることが可能になる。
【００３２】
（２）第２実施形態
次に、本考案に係る装飾シートの第２の実施形態について図６および図７を参照しつつ説明する。本実施形態では、装飾シート２が開閉式の携帯電話機Ｐの外側および内側に装飾を施す場合について説明する。なお、以下の説明においては、第１実施形態と異なる構成についてのみ説明することとし、第１実施形態と同一の構成については説明を省略して同一の符号を付すこととする。  
【００３３】
本装飾シート２は、図６に示すように、第１シート１０の上面において配置された内側用第２シート１２０ａと、外側用第２シート１２０ｂとの２つを備えており、内側用第２シート１２０ａおよび外側用第２シート１２０ｂの上面にストーン３０が複数配置されている。なお、内側用第２シート１２０ａおよび外側用第２シート１２０ｂとストーン３０とは、第１実施形態と同様の態様で接着固定されているため、説明を省略する。
【００３４】
この装飾シート２によれば、第１実施形態と同様の工程を行うことにより、図７（ａ）に示すように、携帯電話機Ｐの内側において長期間装飾性を持続させることができるとともに、図７（ｂ）に示すように、携帯電話機Ｐの外側において長期間装飾性を持続させることができる。
【００３５】
なお、上記実施形態では、ストーン３０における埋設部３００の周縁部３０１の上方が第２シート２０の固定層２２によって覆われている場合について説明したが、第２シート２０の固定層２２によって覆われていなくてもよい。
【００３６】
また、ストーン３０の周縁部３０１が、第２シート２０に埋設されている場合について説明したが、第２シート２０に埋設されていなくてもよい。
【００３７】
また、固定層２２がポリウレタンであり、張り付け層２１がポリエステルである場合について説明したが、これら以外の素材であってもよい。
【００３８】
また、ストーン本体部３１は、アルミニウムからなる場合について説明したが、ガラスあるいはその他の素材からなるものでもよい。
【００３９】
また、ストーン本体部３１は、上面が外側方向に湾曲する曲面形状に形成されるとともに、下面が内側方向に湾曲する曲面形状で形成されている場合について説明したが、いずれか一方面のみまたは両面ともが平面で形成されていてもよい。
【符号の説明】
【００４０】
１、２…装飾シート
１０…第１シート
２０…第２シート
２１…張り付け層
２１１…粘着剤
２２…固定層
１２０ａ…内側用第２シート
１２０ｂ…外側用第２シート
３０…ストーン
３１…ストーン本体部
３２…塗装層
３３…プライマー層
３００…埋設部
３０１…周縁部
４０…接着剤
【図１】
0003169431.tif 000003
【図２】
0003169431.tif 000004
【図３】
0003169431.tif 000005
【図４】
0003169431.tif 000006
【図５】
0003169431.tif 000007
【図６】
0003169431.tif 000008
【図７】
0003169431.tif 000009